(57)【要約】【課題】インクジェットプリンタにおいて、記録紙に吐出されたインクを早く乾燥させ、記録紙に高画質にプリント可能にし、プリント速度も速くすることができるようにする。【解決手段】インクジェットプリンタは、筐体内部で副走査方向に搬送される記録紙Ｐに、副走査方向と略直交する主走査方向に往復駆動されるキャリッジ２に搭載されている記録ヘッド３ａからインクを吐出して画像をプリントする。キャリッジ２の前方には、主走査方向に略直交するように配置された薄シート状のフィン２１とフィン２１を保持する保持部２２とで構成される羽板部２０が設けられている。キャリッジ２の往復移動に伴い、フィン２１に空気が当たり、フィン２１の前端部がキャリッジ２の移動方向とは反対方向に撓む。これにより、フィン２１の近傍の空気が流動すると共に、その空気の一部が記録紙Ｐに当たり、記録紙Ｐに付着したインクが早く乾燥する。【選択図】図３
2007326283.tif 000002
【特許請求の範囲】
【請求項１】
インクを貯蔵するインクタンクが内蔵されており、このインクタンクに貯蔵されたインクを下方の記録紙に向けて吐出して付着させ、記録紙に画像を形成する記録ヘッドを有するインクカートリッジと、
筐体内部に配され、前記インクカートリッジが挿脱自在に搭載されるキャリッジと、
副走査方向に記録紙を搬送する記録紙搬送機構と、
前記キャリッジを副走査方向に略直交する主走査方向に往復移動させる駆動機構と、
前記筐体内部に搬送される記録紙が装填される給紙トレイと、
前記筐体内部から記録紙が排出される排紙トレイとを備え、
前記記録紙搬送機構は、前記記録ヘッドにより前記記録紙にインクが吐出される部位よりも記録紙の搬送方向上流側において前記記録紙に接触して回動する搬送ローラと、前記記録紙にインクが吐出される部位よりも下流側においてインクが吐出された状態の記録紙に接触して回動することにより、前記記録紙を前記排紙トレイに排出する排紙ローラを有しているインクジェットプリンタにおいて、
前記キャリッジの前記インクカートリッジが設けられている部位よりも記録紙の搬送方向下流側において、記録紙の近傍部位に、主走査方向に対し略直交するように前記搬送方向下流側に突設されて取り付けられた羽板部をさらに備え、
前記羽板部は、薄シート状に形成されたフィンと、前記キャリッジに形成されており前記フィンの片縁部を保持する保持部とを有しており、
前記保持部は、前記排紙ローラよりも記録紙の搬送方向上流側に位置しており、かつ、前記フィンを、そのフィンが前記記録紙に向けて突出されるように保持しており、
前記キャリッジの往復移動に伴い、前記フィンにそのフィン近傍の空気が当たることにより、前記フィン近傍の空気が流動し、また、前記フィンに空気が当たることにより前記フィンが撓んで、その空気の一部が記録紙に向けて流れるように構成されており、
それにより、前記記録紙に付着したインクが乾燥しやすくなるように構成されていることを特徴とするインクジェットプリンタ。
【請求項２】
副走査方向に記録紙を搬送する記録紙搬送機構と、
前記記録紙搬送機構により搬送される記録紙に向けてインクを吐出して、その記録紙に画像を形成する記録ヘッドを搭載しており、副走査方向に略直交する主走査方向に往復移動するキャリッジとを備えたインクジェットプリンタにおいて、
前記記録ヘッドにより記録紙にインクが吐出される位置よりも記録紙の搬送方向下流側の記録紙の近傍部位に、主走査方向に対し略直交するように前記キャリッジの表面から突設された羽板部をさらに備え、
前記キャリッジの往復移動に伴い、前記羽板部にその羽板部近傍の空気が当たることにより前記羽板部近傍の空気が流動し、前記記録紙に付着したインクが乾燥しやすくなるように構成されていることを特徴とするインクジェットプリンタ。
【請求項３】
前記羽板部は、薄シート状で可撓性を有するように形成されたフィンを有しており、
前記キャリッジの往復移動時に、前記フィンにそのフィン近傍の空気が当たることにより、前記フィンが撓んだ状態になることを特徴とする請求項２に記載のインクジェットプリンタ。
【発明の詳細な説明】
【技術分野】
【０００１】
本発明は、筐体内部で搬送される記録紙に向け、その搬送方向と直交する方向に往復駆動されるキャリッジからインクを吐出することにより、記録紙上に画像を形成するインクジェットプリンタに関する。
【背景技術】
【０００２】
従来より、記録紙に向けてキャリッジからインクを吐出することにより、記録紙に画像を形成（以下、プリントと称する）する機能を有するインクジェットプリンタが用いられている（例えば、特許文献１乃至特許文献４参照）。このようなインクジェットプリンタにおいては、記録紙にインクにじみ等が生じることが少なくなるように、また、複数の記録紙に連続してプリントする際、記録紙に他の記録紙のインクが付着したりすることなくプリント速度を速くすることが出来るように、記録紙に付着させたインクを出来るだけ早く乾燥させることが求められている。特に、例えば、デジタルスチルカメラ等を用いて撮影した画像等を、記録紙に吐出するインク量を多くしてプリントする際には、インクが乾燥する速度が遅いと、複数の記録紙にプリントする際のプリント速度を速くできなかったり、記録紙に良好な画質でプリントできなかったりすることがある。
【０００３】
インクを早く乾燥させるため、特許文献１に記載のインクジェットプリンタは、通風路をキャリッジに設け、記録紙の印字部を乾燥させるようにしている。この通風路は、キャリッジの移動によって記録紙の印字部分に空気が流れ込むように、キャリッジの移動方向に面して形成されている。しかしながら、この特許文献１に記載の構造は、キャリッジの大型化を招いてしまう。
【０００４】
また、特許文献２には、キャリッジに、記録ヘッドの移動力によって記録ヘッド周辺から所定の排出箇所へ向けて気流を発生させるための導風板を設け、インクミストを排出箇所へ導くようにしたインクジェットプリンタが記載されている。しかしながら、この特許文献２の構造は、インクミストを横方向の排出箇所へ導く構造であって、用紙面へ気流を向かわせる等してインクが早く乾燥するようにするような構造ではない。そして、この構造も、上述の特許文献１と同様に、キャリッジが大型化してしまうものである。
【０００５】
そして、特許文献３には、キャリッジにファン等の送風装置を設けて記録紙に風を送り、インクを早急に乾燥させるようにしたインクジェットプリンタが記載されている。また、特許文献４には、記録紙に向けて送風する送風手段を、キャリッジと共に移動可能に設け、記録紙の端のめくれをその風圧で抑えるようにしたインクジェットプリンタが記載されている。しかしながら、これらの特許文献３及び特許文献４に記載のインクジェットプリンタは、ファン等の送風装置を用いるものであり、製造コストが高く、また、インクジェットプリンタが複雑で大型化してしまうため、インクを早く乾燥させるための手段として必ずしも適用可能なものではない。
【０００６】
さらに、上記各特許文献に記載された従来例では、通風路、導風板、ファン等が記録紙の搬送方向における記録ヘッドの近傍に設けられているため、発生された風によってインク滴が流され、記録紙上の目標位置に付着しない可能性がある。そのため、色のにじみや白線の発生など、画質を低下させる要因となる。
【特許文献１】特開平１１−５８７０８号公報
【特許文献２】特開２００１−１３８５４８号公報
【特許文献３】特開２００３−２１１６５２号公報
【特許文献４】特開２００３−２９１４３１号公報
【発明の開示】
【発明が解決しようとする課題】
【０００７】
本発明は、上記課題を鑑みてなされたものであり、記録紙に吐出されたインクを早く乾燥させることができ、記録紙に高画質にプリント可能で、プリント速度も速くすることが可能なインクジェットプリンタを提供することを目的とする。
【課題を解決するための手段】
【０００８】
上記目的を達成するため請求項１の発明は、インクを貯蔵するインクタンクが内蔵されており、このインクタンクに貯蔵されたインクを下方の記録紙に向けて吐出して付着させ、記録紙に画像を形成する記録ヘッドを有するインクカートリッジと、筐体内部に配され、前記インクカートリッジが挿脱自在に搭載されるキャリッジと、副走査方向に記録紙を搬送する記録紙搬送機構と、前記キャリッジを副走査方向に略直交する主走査方向に往復移動させる駆動機構と、前記筐体内部に搬送される記録紙が装填される給紙トレイと、前記筐体内部から記録紙が排出される排紙トレイとを備え、前記記録紙搬送機構は、前記記録ヘッドにより前記記録紙にインクが吐出される部位よりも記録紙の搬送方向上流側において前記記録紙に接触して回動する搬送ローラと、前記記録紙にインクが吐出される部位よりも下流側においてインクが吐出された状態の記録紙に接触して回動することにより、前記記録紙を前記排紙トレイに排出する排紙ローラを有しているインクジェットプリンタにおいて、前記キャリッジの前記インクカートリッジが設けられている部位よりも記録紙の搬送方向下流側において、記録紙の近傍部位に、主走査方向に対し略直交するように前記搬送方向下流側に突設されて取り付けられた羽板部をさらに備え、前記羽板部は、薄シート状に形成されたフィンと、前記キャリッジに形成されており前記フィンの片縁部を保持する保持部とを有しており、前記保持部は、前記排紙ローラよりも記録紙の搬送方向上流側に位置しており、かつ、前記フィンを、そのフィンが前記記録紙に向けて突出されるように保持しており、前記キャリッジの往復移動に伴い、前記フィンにそのフィン近傍の空気が当たることにより、前記フィン近傍の空気が流動し、また、前記フィンに空気が当たることにより前記フィンが撓んで、その空気の一部が記録紙に向けて流れるように構成されており、それにより、前記記録紙に付着したインクが乾燥しやすくなるように構成されているものである。
【０００９】
請求項２の発明は、副走査方向に記録紙を搬送する記録紙搬送機構と、前記記録紙搬送機構により搬送される記録紙に向けてインクを吐出して、その記録紙に画像を形成する記録ヘッドを搭載しており、副走査方向に略直交する主走査方向に往復移動するキャリッジとを備えたインクジェットプリンタにおいて、前記記録ヘッドにより記録紙にインクが吐出される位置よりも記録紙の搬送方向下流側の記録紙の近傍部位に、主走査方向に対し略直交するように前記キャリッジの表面から突設された羽板部をさらに備え、前記キャリッジの往復移動に伴い、前記羽板部にその羽板部近傍の空気が当たることにより前記羽板部近傍の空気が流動し、前記記録紙に付着したインクが乾燥しやすくなるように構成されているものである。
【００１０】
請求項３の発明は、請求項２の発明において、前記羽板部は、薄シート状に形成されたフィンを有しており、前記キャリッジの往復移動時に、前記フィンにそのフィン近傍の空気が当たることにより、前記フィンが撓んだ状態になるものである。
【発明の効果】
【００１１】
請求項１の発明によれば、キャリッジの往復移動に伴い、フィンにそのフィン近傍の空気が当たることにより、フィン近傍の空気が流動する。従って、従来のインクジェットプリンタと比較して、インクが付着した記録紙の表面に気流が当たりやすくなり、インクが乾燥しやすくなる。これにより、記録紙にインクにじみ等が生じることが少なくなり、また、複数の記録紙に連続してプリントする際、記録紙に他の記録紙のインクが付着したりすることなく、プリント速度を速くすることが可能になる。保持部は、フィンが記録紙に向けて突出されるように保持しており、また、フィンに空気が当たることによりフィンが撓むので、より多くの空気が流動すると共に、フィンに当たった空気の一部が記録紙に向けて流れる。従って、記録紙の表面により多くの気流が当たるようになり、記録紙に付着したインクが、さらに乾燥しやすくなる。羽板部は、従来例に比べて構造が簡単なものであり、インクジェットプリンタの製造コストも安価に抑えることが可能である。羽板部は、インクカートリッジよりも記録紙の搬送方向下流側に設けられているので、フィンにより発生する気流は記録ヘッドから吐出されるインクの記録紙への付着位置に影響せず、記録紙に形成される画像の画質が低下してしまうことがない。そして、保持部は、排紙ローラよりも記録紙の搬送方向上流側に位置しているので、フィンから記録紙に向けて流れる空気が、記録紙の排紙ローラよりも搬送方向上流側の表面にも当たる。従って、記録紙に付着したインクが、排紙ローラにより搬送されるよりも前に乾燥しやすくなり、記録紙に形成される画像が汚損したりしてしまうことなく、プリント速度を速くすることが可能になる。
【００１２】
請求項２の発明によれば、キャリッジの往復移動に伴い、羽板部にその羽板部近傍の空気が当たることにより、記録紙の表面の近傍で、羽板部近傍の空気が流動する。従って、従来のインクジェットプリンタと比較して、インクが付着した記録紙の表面に気流が当たりやすくなり、インクが乾燥しやすくなる。これにより、記録紙にインクにじみ等が生じることが少なくなり、また、複数の記録紙に連続してプリントする際、記録紙に他の記録紙のインクが付着したりすることなく、プリント速度を速くすることが可能になる。また、羽板部は、記録紙にインクが吐出される位置よりも記録紙の搬送方向下流側に設けられているので、羽板部により発生する気流は記録ヘッドから吐出されるインクの記録紙への付着位置に影響せず、記録紙に形成される画像の画質が低下してしまうことがない。
【００１３】
請求項３の発明によれば、キャリッジの往復移動時に、羽板部のフィンに空気が当たってフィンが撓んだ状態になるので、羽板部近傍のより多くの空気が流動する。従って、インクが付着した記録紙の表面により多くの気流が当たり、インクがさらに乾燥しやすくなる。
【発明を実施するための最良の形態】
【００１４】
以下、本発明の一実施形態について図面を参照して説明する。図１は、本実施形態に係るインクジェットプリンタを示す。このインクジェットプリンタ（以下、プリンタと称する）１は、インクを吐出する記録ヘッド３ａを下面に有するインクカートリッジ３が搭載されたキャリッジ２を、主走査方向（図に矢印Ａで示す）に往復移動させることにより、主走査方向と直交する副走査方向（図に矢印Ｂで示す）に搬送される記録紙Ｐに画像を形成するものである。このプリンタ１は、例えば外部のパーソナルコンピュータ（図示せず）等と接続されており、このパーソナルコンピュータ等から送信されるデータ及びコマンド等に基いて、記録紙Ｐに画像を形成するプリント動作を行う機能を有している。
【００１５】
このプリンタ１は、筐体１０の背面に、プリントされる記録紙Ｐが装填される給紙トレイ１１を有しており、また、筐体１０の前面下方に、プリントされた記録紙Ｐを排出するための排紙トレイ１２を有している。このプリンタ１は、例えばＡ４サイズの記録紙Ｐに画像を形成可能なものである。図に示すように、記録紙Ｐは、給紙トレイ１１に主走査方向に摺動可能に設けられている２つのガイド爪１１ｂにより、給紙トレイ１１に位置決めされた状態で装填されている。
【００１６】
このプリンタ１の筐体１０の内部には、キャリッジ２と、キャリッジ２に搭載されているインクカートリッジ３と、キャリッジ２の背面側に主走査方向が長手方向に配されるシャフト４と、記録紙搬送機構６と、キャリッジ２に駆動力を与えて往復移動させる駆動機構７と、キャリッジ２の主走査方向の位置を検出するために用いられて筐体１０に主走査方向に沿って配されているエンコーダスケール８と、プリンタ１の種々の動作を制御するための制御回路９とが設けられている。キャリッジ２の下方には、筐体１０の内部で搬送される記録紙Ｐを支えるプラテン１３が配置されている。
【００１７】
キャリッジ２は、シャフト４に摺動可能に嵌合されており、後述するように駆動機構７のベルト７ａの一部分に接続されており、シャフト４に沿って主走査方向に移動可能に配置されている。キャリッジ２にはフォトカプラ（図示せず）が搭載されており、このフォトカプラが所定の解像度を有するエンコーダスケール８上を走査することにより、キャリッジ２の主走査方向の位置を検出可能となるように構成されている。キャリッジ２の内部には空間が形成されており、インクカートリッジ３がこの空間に着脱可能に配されている。本実施形態において、キャリッジ２の前面には、図に示すように、羽板部２０が設けられている。
【００１８】
インクカートリッジ３は、内部にインクを貯蔵するインクタンク（図示せず）を有している。インクカートリッジ３の下面には、インクタンクに収納されたインクを吐出するための複数のノズルを有する記録ヘッド３ａが設けられている。記録ヘッド３ａは下方のプラテン１３に対向するように設けられており、記録紙Ｐのうちプラテン１３により支えられている部位に、記録ヘッド３ａからインクが吐出されるように構成されている。本実施形態において、インクカートリッジ３は、例えばシアン、マゼンタ、イエロー等のカラーインクが封入されたものと、ブラックインクが封入されたものとの２つがキャリッジ２に搭載されている。すなわち、このプリンタ１は、記録紙Ｐにカラー画像を形成可能に構成されているものである。なお、キャリッジ２に搭載されるインクカートリッジ３の構成はこれに限られるものではなく、例えばブラックインクとカラーインクが１つのインクカートリッジ３に封入されたものであったり、カラーインクも各色毎に別個に封入されているものであったりしてもよい。また、このプリンタ１は、キャリッジ２にブラックインクが封入されたインクカートリッジ３のみが搭載されており、例えばグレースケール画像を形成するようなものであってもよい。
【００１９】
記録紙搬送機構６は、本実施形態において、動力源であるモータ６ａと、記録紙Ｐを給紙トレイ１１から筐体１０の内部に送るためのピックローラ６ｂと、ピックローラ６ｂにより筐体１０の内部に送られた記録紙Ｐを筐体１０の内部で副走査方向に搬送するための搬送ローラ６ｃと、画像が形成された記録紙Ｐを排紙トレイ１２に排出する排紙ローラ６ｄ等で構成されている。モータ６ａは、例えば歯車等を介して、ピックローラ６ｂ、搬送ローラ６ｃ、及び排紙ローラ６ｄを回動させるように構成されている。図に示すように、搬送ローラ６ｃは、記録紙Ｐに記録ヘッド３ａからインクが吐出される位置よりも、記録紙Ｐの搬送方向の上流側に設けられており、排紙ローラ６ｄは、その位置よりも、搬送方向下流側に設けられている。これらの搬送ローラ６ｃ及び排紙ローラ６ｄは、それぞれ、記録紙Ｐの画像が形成される上面に当接するローラと下面に当接するローラの２つの互いに連動するローラにより構成されており、モータ６ａにより駆動される。記録紙Ｐは、これらのローラが記録紙に接触して回動することにより、副走査方向に搬送される。
【００２０】
駆動機構７は、例えば、プリンタ１の筐体１０に主走査方向に沿って配されている環状のベルト７ａと、このベルト７ａを回動させるためのＤＣモータ７ｂとにより構成されているものである。ベルト７ａの一部分は、キャリッジ２の後方に接続されている。駆動機構７は、ＤＣモータ７ｂによってベルト７ａを回動させることにより、キャリッジ２に駆動力を与えて主走査方向に往復移動させる。なお、駆動機構７はこの構成に限られるものではない。
【００２１】
制御回路９は、例えば外部のパーソナルコンピュータ等で動作するデバイスドライバ等のソフトウェア等により制御されるものである。この制御回路９は、例えば、パーソナルコンピュータから送信されるデータ及びコマンド等に基づいて、記録紙搬送機構６、駆動機構７、及び記録ヘッド３ａ等を制御することにより、記録紙Ｐ上に画像を形成するプリント機能を実行する。制御回路９は、このようなプリント機能の他、例えばデジタルスチルカメラ等から送信されるようなＪＰＥＧ圧縮された画像データを解凍して記録紙Ｐ上に画像を形成する機能を有しているようなものであってもよい。また、制御回路９は、例えば筐体１０に設けられるような操作ボタン等がユーザ等により操作されることに応じて、所定の機能を動作させるように構成されていてもよい。
【００２２】
図２及び図３（ａ）、（ｂ）は、プリンタ１の筐体１０の内部のうち、記録紙Ｐに画像を形成する部位を示す。図２に示すように、本実施形態において、羽板部２０は、例えば略矩形の薄シート状に形成されたフィン２１と、そのフィン２１の片縁部を保持する保持部２２とで構成されている。フィン２１は、保持部２２により、主走査方向に対し略直交してキャリッジ２から突設されるように保持されている。フィン２１は、例えば樹脂フィルムであって、保持部２２に保持された状態で、その前端が主走査方向に可撓性を有するように構成されている。本実施形態において、保持部２２は、キャリッジ２に一体に形成されており、フィン２１の片縁部が例えば接着により取り付けられている。保持部２２は、図に示すように、フィン２１を保持する面が、下方で搬送される記録紙Ｐに向くように形成されており、フィン２１を、フィン２１が記録紙Ｐに向けて突出されるように保持する。図２に示すように、保持部２２は、フィン２１の前端部が、排紙ローラ６ｄよりも記録紙Ｐの搬送方向上流側に位置するように構成されている。
【００２３】
次に、図２及び図３（ａ）、（ｂ）を用いて、このプリンタ１のプリント動作時におけるキャリッジ２の動作について説明する。上述のように、キャリッジ２は、プリント動作時に主走査方向に往復移動を繰り返す。ここで、例えば、図３（ａ）に示すように、キャリッジ２が、図の矢印Ａ１で示す方向に移動しているとき、フィン２１には、そのフィン２１の近傍の空気のうち、キャリッジ２の移動方向の部位にある空気が当たる。そして、フィン２１は、空気が当たることにより、図の矢印Ｄ１で示すようにキャリッジ２の移動方向とは反対方向に撓んだ状態となる。このように、フィン２１がこのように撓んだ状態となったままキャリッジ２が移動されることにより、フィン２１に当たったフィン２１の近傍の空気が流動すると共に、図に黒矢印で示すように、その空気の一部が記録紙Ｐに向けて流れる。すなわち、記録紙Ｐには、フィン２１により、記録紙Ｐの上面のうち、インクが付着された部位に気流が当たるように構成されている。図３（ｂ）に示すように、キャリッジ２が上述とは反対の方向である図の矢印Ａ２で示す方向に移動しているときも、上述と同様であり、フィン２１に空気が当たることにより、フィン２１が上述とは反対の矢印Ｄ２で示す方向に撓み、フィン２１の近傍の空気が流動し、その空気の一部が記録紙Ｐに向けて流れる。本実施形態においては、フィン２１の前端部が排紙ローラ６ｄよりも記録紙Ｐの搬送方向上流側に位置しているので、フィン２１に当たった空気が、特に、記録紙Ｐのうち、インクが吐出される部位から排紙ローラ６ｄが当接する部位までの部分に当たるように構成されている。
【００２４】
上述のように、記録紙Ｐのインクが吐出された部位の上部の空気がフィン２１により流動され、記録紙Ｐの表面に気流が当たりやすくなる。そして、本実施形態においては、フィン２１が撓んで、フィン２１に当たった空気の一部が記録紙Ｐに向けて流れ、記録紙Ｐの表面にさらに多くの気流が当たる。従って、従来のインクジェットプリンタと比較して、記録紙Ｐに付着したインクが乾燥しやすくなる。それにより、記録紙Ｐにインクにじみ等が生じることが少なくなり、また、複数の記録紙Ｐに連続してプリントする際、記録紙Ｐに他の記録紙のインクが付着したりすることなく、プリント速度を速くすることが可能になる。羽板部２０は、従来例に比べて構造が簡単なものであり、プリンタ１の製造コストも安価に抑えることが可能である。そして、羽板部２０は、インクカートリッジ３よりも記録紙Ｐの搬送方向下流側に設けられているので、フィン２１により発生する気流は記録ヘッド３ａから吐出されるインクの記録紙Ｐへの付着位置に影響せず、記録紙Ｐに形成される画像の画質が低下してしまうことがない。また、フィン２１に当たった空気が、記録紙Ｐのうち、インクが吐出される部位から排紙ローラ６ｄが当接する部位までの部分に当たるように構成されているので、記録紙Ｐに付着したインクが、排紙ローラ６ｄにより搬送されるよりも前に乾燥しやすくなり、記録紙Ｐに形成される画像が汚損したりしてしまうことなく、プリント速度を速くすることが可能になる。
【００２５】
なお、本発明は上記実施形態の構成に限定されるものではなく、発明の趣旨を変更しない範囲で適宜に種々の変形が可能である。例えば、羽板部２０の位置は、上述に限られるものではなく、例えば、保持部２２のフィン２１を保持する部位が、排紙ローラ６ｄよりも記録紙Ｐの搬送方向上流側に位置しているようなものであってもよい。このときにも、記録紙Ｐのインクが付着した部位のうち、排紙ローラ６ｄに当接するよりも上流側の部位に気流の一部が当たりうるので、上述のように、記録紙Ｐに形成される画像が汚損したりしてしまうことなく、プリント速度を速くすることができる。
【００２６】
また、羽板部２０は、上述の構成に限られるものではなく、例えば、キャリッジ２の部材と一体に形成されているもの等、あまり可撓性を有しないような形状でキャリッジ２の表面から突設されているようなものであってもよい。すなわち、キャリッジ２の往復移動時に、羽板部２０にその近傍の空気が当たって、その空気が流動するように構成することにより、記録紙Ｐの表面に気流が当たりやすくなり、従来のインクジェットプリンタと比較してインクが乾燥しやすくなる。
【図面の簡単な説明】
【００２７】
【図１】本発明の一実施形態に係るインクジェットプリンタの一例を示す斜視図。
【図２】上記プリンタのキャリッジが設けられている部位を示す側面図。
【図３】（ａ）は同上プリンタのキャリッジが設けられている部位を示す斜視図、（ｂ）はキャリッジが（ａ）とは反対方向に移動するときを示す斜視図。
【符号の説明】
【００２８】
１  プリンタ（インクジェットプリンタ）
２  キャリッジ
３  インクカートリッジ
３ａ  記録ヘッド
６  記録紙搬送機構
６ｃ  搬送ローラ
６ｄ  排紙ローラ
７  駆動機構
１０  筐体
１１  給紙トレイ
１２  排紙トレイ
２０  羽板部
２１  フィン
２２  保持部
Ａ，Ａ１，Ａ２  主走査方向
Ｂ  副走査方向
Ｐ  記録紙
【図１】
2007326283.tif 000003
【図２】
2007326283.tif 000004
【図３】
2007326283.tif 000005